(57)【要約】【課題】包装容器表面の傷つき防止機能、撓み防止機能、デザイン性向上機能を兼備えた凸部の採用により、見栄えが良く、傷つき難く、撓み難い、包装容器を提供する。【解決手段】  包装容器は、その表面に絵模様の凸部を有し、この絵模様の凸部の高さは、１ｍｍ超過〜３０ｍｍ以下の範囲内であるものとする。絵模様の凸部は、包装容器の同一表面のコーナー部に設けてもよいし、包装容器の表面縁部に沿って連続した形状になっているものでもよい。【選択図】図１
2012071873.tif 000002
【特許請求の範囲】
【請求項１】
内部に物品を収容するプラスチック製の包装容器であって、
前記包装容器は、その表面に絵模様の凸部を有し、
前記絵模様の凸部の高さは、１ｍｍ超過〜３０ｍｍ以下の範囲内であること
を特徴とする包装容器。
【請求項２】
前記絵模様の凸部は、前記包装容器の同一表面のコーナー部に設けられていること
を特徴とする請求項１に記載の包装容器。
【請求項３】
前記絵模様の凸部は、前記包装容器の表面縁部に沿って連続した絵模様の形状からなること
を特徴とする請求項１に記載の包装容器。
【発明の詳細な説明】
【技術分野】
【０００１】
本発明は、内部に物品（例えば化粧品など）を収容するプラスチック製の包装容器に関し、特に、包装容器表面の傷つき防止機能、撓み防止機能、デザイン性向上機能を兼備えた凸部の採用により、見栄えが良く、傷つき難く、撓み難いようにしたものである。
【背景技術】
【０００２】
従来、化粧品等の物品は包装容器に収容して展示・販売されている。この種の包装容器としては、例えば特許文献１に記載された構造の包装容器が知られている。同文献１の包装容器は、その表面に高さが０．２ｍｍ〜１ｍｍの小突起（１２ａ、１２ｂ、１２ｃ）群からなる凹凸模様１２を設けることにより、包装容器の剛性や撓み強度の向上を図っている。
【０００３】
しかしながら、特許文献１の包装容器にあっては、それを積み重ねた場合に、包装容器表面どうしが接触して擦れ合い、擦れ合いによって包装容器表面に傷がつき、包装容器の見栄えが悪くなるという問題点がある。また、特許文献１の包装容器表面に設けられている凹凸模様１２は、円形ドーム形状や円錐形状のような単純形状の凸部と凹部が繰返し縦横マトリックス状に配列した構造であるため（特許文献１の図２、図３参照）、デザイン性に欠ける。
【先行技術文献】
【特許文献】
【０００４】
【特許文献１】特許第４１８８５４７号公報
【発明の概要】
【発明が解決しようとする課題】
【０００５】
本発明は前記問題点を解決するためになされたものであり、その目的は、包装容器表面の傷つき防止機能、撓み防止機能、デザイン性向上機能を兼備えた凸部の採用により、見栄えが良く、傷つき難く、撓み難い、包装容器を提供することにある。
【課題を解決するための手段】
【０００６】
前記目的を達成するために、本発明は、内部に物品を収容するプラスチック製の包装容器であって、前記包装容器は、その表面に絵模様の凸部を有し、前記絵模様の凸部の高さは、１ｍｍ超過〜３０ｍｍ以下の範囲内であることを特徴とする。
【０００７】
前記本発明において、前記絵模様の凸部は、前記包装容器の同一表面のコーナー部に設けてもよい。
【０００８】
また、前記本発明において、前記絵模様の凸部は、前記包装容器の表面縁部に沿って連続した絵模様の形状からなるものを採用してもよい。このような包装容器表面縁部に沿った連続絵模様の凸部は、包装容器を撓み難くするという作用効果（凸部による包装容器表面の撓み防止機能）を生じさせる。特に、包装容器の厚みが０．２ｍｍ〜０．５ｍｍの範囲内で、凸部の高さを１ｍｍ超過〜３０ｍｍ以下とした場合に、凸部による包装容器表面の撓み防止機能が有効に発揮される。従って、包装容器の厚さと凸部の高さの比率（＝｛凸部２の高さ｝／｛包装容器１の厚さ｝）が最小で２（＝１ｍｍ超過／０．５ｍｍ）、最大で１５０（３０ｍｍ／０．２ｍｍ）となる範囲において、かかる機能が有効に発揮される。
【０００９】
本発明とその実施形態において「凸部の高さ」Ｈとは、図２（ｄ）（ｅ）と図４（ｄ）に示したように当該凸部２が設けられている包装容器１表面から当該凸部２の頂点（最も高い所）までの高さをいう。なお、この凸部の高さＨの定義において、図２（ｄ）の例と図４（ｄ）の例では包装容器１の正面１Ａ又は背面１Ｂを凸部２の高さの測定基準とし、図２（ｅ）の例では包装容器１の側面１Ｃを凸部２の高さの測定基準としている。
【発明の効果】
【００１０】
本発明によると、包装容器表面の凸部の具体的な構成として、その凸部の高さを１ｍｍ超過〜３０ｍｍ以下とする構成を採用した。このため、例えば、この種の包装容器を積み重ねた場合に、それらの包装容器間に前記高さの凸部が介在することによって、包装容器表面どうしの直接接触が回避されることから、包装容器表面どうしの擦れ合いによる包装容器表面の傷が大幅に減少するという作用効果（凸部による包装容器表面の傷つき防止機能）が奏し得られる。また、かかる凸部により該凸部周辺の包装容器表面が補強され、包装容器が撓み難くなるという作用効果（凸部による包装容器表面の撓み防止機能）も得られる。
【００１１】
さらに、本発明にあっては、包装容器表面の凸部の具体的な構成として、絵模様の凸部を採用したため、凸部それ自体にデザイン的な価値があり、かかる凸部のデザイン性向上機能により、見栄えのよい包装容器を提供し得る。
【図面の簡単な説明】
【００１２】
【図１】本発明の一実施形態である包装容器の斜視図。
【図２】（ａ）は図１の包装容器の正面図、（ｂ）は同包装容器の上面図、（ｃ）は同包装容器の右側面図、（ｄ）は（ａ）に示した包装容器のＡＡ断面図、（ｅ）は（ｃ）に示した包装容器のＤＤ断面図。
【図３】本発明の他の実施形態である包装容器の斜視図。
【図４】（ａ）は図３の包装容器の正面図、（ｂ）は同包装容器の上面図、（ｃ）は同包装容器の右側面図、（ｄ）は（ａ）に示した包装容器のＢＢ断面図。
【発明を実施するための形態】
【００１３】
以下、本発明を実施するための最良の形態について、添付した図面を参照しながら詳細に説明する。
【００１４】
図１は本発明の一実施形態である包装容器の斜視図である。また、図２（ａ）は図１の包装容器の正面図、同図（ｂ）は同包装容器の上面図、同図（ｃ）は同包装容器の右側面図、同図（ｄ）は（ａ）に示した包装容器のＡＡ断面図、同図（ｅ）は（ｃ）に示した包装容器のＤＤ断面図である。
【００１５】
図１の包装容器１は、内部に物品（例えば化粧品等）を収容するプラスチック製方形箱状の包装容器であり、その包装容器１表面に絵模様の凸部２を有している。この図１の例では、包装容器１の表面全体のうち、正面１Ａと背面１Ｂと左右の側面１Ｃ、１Ｄの４面に絵模様の凸部２を設けている。図１の包装容器１は、その構成素材として透明のプラスチック素材を用いることにより、包装容器１全体が透明になっているが、半透明にしてもよいし、着色されてもよい。尚、図示は省略するが、図１の包装容器１では、その上面１Ｅが蓋になっていて、かかる蓋を開けることにより包装容器１内部に物品を収容することができる。
【００１６】
前記包装容器１表面の凸部２のうち、包装容器１の正面１Ａと背面１Ｂに設けた凸部２は、包装容器１の表面（図１の例では正面１Ａ）縁部に沿って連続した絵模様の形状（図１の例では複雑に絡んだ植物のツルの絵模様形状）からなる第１凸部２Ａと、この第１凸部２Ａにより囲まれた別の絵模様の形状（図１の例では人物の上半身のような形状）からなる第２凸部２Ｂとにより構成されている（図２（ａ）参照）。なお、第１凸部２Ａと第２凸部２Ｂの絵模様の形状は、図１の例に限定されることはなく、必要に応じて適宜変更することができる。
【００１７】
また、前記包装容器１表面の凸部２のうち、包装容器１の側面１Ｃ、１Ｄに設けた絵模様の凸部２については、略同一絵模様の形状（図１の例ではバラの花の絵模様形状）からなる２つの第３凸部２Ｃ、２Ｃを、包装容器１の同一表面（図１の例では同一側面１Ｃ又は１Ｄ）の対角線上コーナー部に配置している（図２（ｃ）参照）。なお、この第３凸部２Ｃ、２Ｃの絵模様形状も、必要に応じて適宜変更することができる。
【００１８】
更に別の実施例として、図示は省略するが、包装容器１の側面１Ｃ、１Ｄに設けられる第３凸部２Ｃについては、先に説明した第１凸部２Ａと同様の形状の凸部、すなわち、包装容器１の表面（本実施例では側面１Ｃ又は１Ｄ）縁部に沿って連続した絵模様の形状の凸部を採用してもよい。
【００１９】
《凸部２（第１凸部２Ａ、第２凸部２Ｂ、第３凸部２Ｃ）の高さＨについて》
先に説明した包装容器１表面の凸部２の高さが１ｍｍ未満であると、包装容器１を重ねた時に凸部２による包装容器１表面の傷つき防止機能が有効に発揮されず、包装容器１表面どうしの直接接触や擦れ合いによって包装容器１表面が傷つき易い。この一方、かかる凸部２の高さが３０ｍｍを超過していると、包装容器１を重ねた時に崩れ易い等の不具合が生じる。以上のことから、包装容器１表面の凸部２の高さＨ（図２（ｄ）参照）は、１ｍｍ超過〜３０ｍｍ以下の範囲（１ｍｍ＜Ｈ≦３０ｍｍ）内に含まれるものとする。
【００２０】
図３は、本発明の他の実施形態である包装容器の斜視図である。また、図４（ａ）は図３の包装容器の正面図、同図（ｂ）は同包装容器の上面図、同図（ｃ）は同包装容器の右側面図、同図（ｄ）は（ａ）に示した包装容器のＢＢ断面図である。この図３の包装容器では、図１の包装容器１における第１凸部２Ａの変形例として、第１凸部２Ａは、包装容器１表面（正面１Ａ、背面１Ｂ）の四隅に略同一絵模様の形状（図３の例ではバラの花の絵模様形状）を配置している（図４（ａ）参照）。なお、この図３の第１凸部２Ａの絵模様の形状も、図３の例に限定されることはなく、必要に応じて適宜変更することができる。また、この図３の第１凸部２Ａの高さＨ（図４（ｄ）参照）も、先に説明した１ｍｍ超過〜３０ｍｍ以下の範囲内としている。
【００２１】
以上説明した実施形態の包装容器１によると、その包装容器１表面の凸部２の具体的な構成として、当該凸部２の高さを１ｍｍ超過〜３０ｍｍ以下とする構成を採用した。このため、例えば、この種の包装容器１を積み重ねた場合に、それらの包装容器１間に前記高さの凸部２が介在することによって、包装容器１表面どうしの直接接触が回避されることから、包装容器１表面どうしの擦れ合いによる包装容器１表面の傷が大幅に減少し、傷のない新品状態を長期間維持することが可能である。また、かかる凸部２により該凸部２周辺の包装容器１表面が補強され、包装容器１が撓み難くなるという利点もある。
【００２２】
さらに、前記実施形態の包装容器１は、その包装容器１表面の凸部２の具体的な構成として、絵模様の凸部２を採用したため、凸部２それ自体にデザイン的な価値があり、かかる凸部２のデザイン性向上機能により、デザイン的に優れたものであり、需要者の購買意欲を喚起し、他の包装容器と大きな差別化を図れる。
【符号の説明】
【００２３】
１  包装容器
１Ａ  包装容器の正面
１Ｂ  包装容器の背面
１Ｃ、１Ｄ  包装容器の側面
１Ｅ  包装容器の上面
２  凸部
２Ａ  第１凸部
２Ｂ  第２凸部
２Ｃ  第３凸部
【図１】
2012071873.tif 000003
【図２】
2012071873.tif 000004
【図３】
2012071873.tif 000005
【図４】
2012071873.tif 000006